(57)【特許請求の範囲】
【請求項１】
その口部を密封する薄膜を備えるスクイズボトルと、
上記スクイズボトルの上記口部に取り付けられ、上記スクイズボトルの内容液の流路となる孔を有する筒体と、
上記筒体の外周面に溶着され、底部に吐出孔を備える有底略筒状または略椀状の吐出部と、
上記筒体の下流側に連接され、上記吐出部内に固定されてその先端を上記吐出孔から上記吐出部外に露出してなる略円柱状の弁体支持部と、
上記吐出部内に固定されてその先端を上記吐出孔から上記吐出部外に露出してなる弾性体製の弁体と、
上記筒体の内部に備えられ、尖端を上記スクイズボトル側に向けてなる中空の穿刺針とを有し、
上記弁体の先端部分が、上記スクイズボトル側から液圧を受けていない状態で上記弁体支持部に当接して上記吐出孔を閉鎖し、かつ上記スクイズボトル側から液圧を受けると変形して上記弁体支持部との間に流路を形成し、
上記筒体を上記スクイズボトルにねじ込みまたは嵌め合わせることによって、上記薄膜に上記穿刺針が刺通される、吐出容器。
【請求項２】
その口部に口部栓を備えるスクイズボトルと、
上記スクイズボトルの上記口部に取り付けられ、上記スクイズボトルの内容液の流路となる孔を有する筒体と、
上記筒体の外周面に溶着され、底部に吐出孔を備える有底略筒状または略椀状の吐出部と、
上記筒体の下流側に連接され、上記吐出部内に固定されてその先端を上記吐出孔から上記吐出部外に露出してなる略円柱状の弁体支持部と、
上記吐出部内に固定されてその先端を上記吐出孔から上記吐出部外に露出してなる弾性体製の弁体と、
上記筒体の内部に備えられ、上記スクイズボトルの上記口部栓に当接して、上記吐出部と上記スクイズボトルとの間を封鎖する内栓とを有し、
上記弁体の先端部分が、上記スクイズボトル側から液圧を受けていない状態で上記弁体支持部に当接して上記吐出孔を閉鎖し、かつ上記スクイズボトル側から液圧を受けると変形して上記弁体支持部との間に流路を形成し、
上記筒体を上記スクイズボトルにねじ込みもしくは嵌め合わせることによって、または上記筒体と上記スクイズボトルとのねじ嵌めもしくは嵌め合わせを緩めることによって、上記内栓と上記スクイズボトルの上記口部栓との間に流路が形成される、吐出容器。
【請求項３】
その口部を密封する薄膜を備えるスクイズボトルと、
上記スクイズボトルの上記口部に取り付けられ、上記スクイズボトルの内容液の流路となる孔を有する筒体と、
上記筒体の外周面に溶着され、底部に吐出孔を備える有底略筒状または略椀状の吐出部と、
上記筒体の下流側に連接され、上記吐出孔の近傍で上記吐出部内に固定されてなる略円盤状の弁体支持部と、
上記吐出部内に固定されてその先端を上記吐出孔から上記吐出部外に露出してなる弾性体製の弁体と、
上記筒体の内部に備えられ、尖端を上記スクイズボトル側に向けてなる中空の穿刺針とを有し、
上記弁体の先端部分が、上記スクイズボトル側から液圧を受けていない状態で上記弁体支持部に当接して上記吐出孔を閉鎖し、かつ上記スクイズボトル上流側から液圧を受けると変形して上記弁体支持部との間に流路を形成し、
上記筒体を上記スクイズボトルにねじ込みまたは嵌め合わせることによって、上記薄膜に上記穿刺針が刺通される、吐出容器。
【請求項４】
その口部に口部栓を備えるスクイズボトルと、
上記スクイズボトルの上記口部に取り付けられ、上記スクイズボトルの内容液の流路となる孔を有する筒体と、
上記筒体の外周面に溶着され、底部に吐出孔を備える有底略筒状または略椀状の吐出部と、
上記筒体の下流側に連接され、上記吐出孔の近傍で上記吐出部内に固定されてなる略円盤状の弁体支持部と、
上記吐出部内に固定されてその先端を上記吐出孔から上記吐出部外に露出してなる弾性体製の弁体と、
上記筒体の内部に備えられ、上記スクイズボトルの上記口部栓に当接して、上記吐出部と上記スクイズボトルとの間を封鎖する内栓とを有し、
上記弁体の先端部分が、上記スクイズボトル側から液圧を受けていない状態で上記弁体支持部に当接して上記吐出孔を閉鎖し、かつ上記スクイズボトル上流側から液圧を受けると変形して上記弁体支持部との間に流路を形成し、
上記筒体を上記スクイズボトルにねじ込みもしくは嵌め合わせることによって、または上記筒体と上記スクイズボトルとのねじ嵌めもしくは嵌め合わせを緩めることによって、上記内栓と上記スクイズボトルの上記口部栓との間に流路が形成される、吐出容器。
【請求項５】
その口部を密封する薄膜を備えるスクイズボトルと、
上記スクイズボトルの上記口部に取り付けられ、上記スクイズボトルの内容液の流路となる孔を有する筒体と、
上記筒体の外周面に溶着され、底部に吐出孔を備える有底略筒状または略椀状の吐出部と、
上記筒体の下流側に連接され、上記吐出部内に固定されてその先端を上記吐出孔から上記吐出部外に露出してなる略円柱状の弁体支持部と、
上記吐出部内に固定されてその先端を上記吐出孔から上記吐出部外に露出してなる弾性体製の弁体と、
上記筒体の内部に備えられ、尖端を上記スクイズボトル側に向けてなる中空の穿刺針とを有し、
上記弁体の先端部分が、上記スクイズボトル側から液圧を受けていない状態で上記弁体支持部に当接して上記吐出孔を閉鎖し、かつ上記スクイズボトル側から液圧を受けると変形して上記弁体支持部との間に流路を形成し、
上記筒体を上記スクイズボトルにねじ込みまたは嵌め合わせることによって、上記薄膜に上記穿刺針が刺通される、点眼容器。
【請求項６】
その口部に口部栓を備えるスクイズボトルと、
上記スクイズボトルの上記口部に取り付けられ、上記スクイズボトルの内容液の流路となる孔を有する筒体と、
上記筒体の外周面に溶着され、底部に吐出孔を備える有底略筒状または略椀状の吐出部と、
上記筒体の下流側に連接され、上記吐出部内に固定されてその先端を上記吐出孔から上記吐出部外に露出してなる略円柱状の弁体支持部と、
上記吐出部内に固定されてその先端を上記吐出孔から上記吐出部外に露出してなる弾性体製の弁体と、
上記筒体の内部に備えられ、上記スクイズボトルの上記口部栓に当接して、上記吐出部と上記スクイズボトルとの間を封鎖する内栓とを有し、
上記弁体の先端部分が、上記スクイズボトル側から液圧を受けていない状態で上記弁体支持部に当接して上記吐出孔を閉鎖し、かつ上記スクイズボトル側から液圧を受けると変形して上記弁体支持部との間に流路を形成し、
上記筒体を上記スクイズボトルにねじ込みもしくは嵌め合わせることによって、または上記筒体と上記スクイズボトルとのねじ嵌めもしくは嵌め合わせを緩めることによって、上記内栓と上記スクイズボトルの上記口部栓との間に流路が形成される、点眼容器。
【請求項７】
その口部を密封する薄膜を備えるスクイズボトルと、
上記スクイズボトルの上記口部に取り付けられ、上記スクイズボトルの内容液の流路となる孔を有する筒体と、
上記筒体の外周面に溶着され、底部に吐出孔を備える有底略筒状または略椀状の吐出部と、
上記筒体の下流側に連接され、上記吐出孔の近傍で上記吐出部内に固定されてなる略円盤状の弁体支持部と、
上記吐出部内に固定されてその先端を上記吐出孔から上記吐出部外に露出してなる弾性体製の弁体と、
上記筒体の内部に備えられ、尖端を上記スクイズボトル側に向けてなる中空の穿刺針とを有し、
上記弁体の先端部分が、上記スクイズボトル側から液圧を受けていない状態で上記弁体支持部に当接して上記吐出孔を閉鎖し、かつ上記スクイズボトル上流側から液圧を受けると変形して上記弁体支持部との間に流路を形成し、
上記筒体を上記スクイズボトルにねじ込みまたは嵌め合わせることによって、上記薄膜に上記穿刺針が刺通される、点眼容器。
【請求項８】
その口部に口部栓を備えるスクイズボトルと、
上記スクイズボトルの上記口部に取り付けられ、上記スクイズボトルの内容液の流路となる孔を有する筒体と、
上記筒体の外周面に溶着され、底部に吐出孔を備える有底略筒状または略椀状の吐出部と、
上記筒体の下流側に連接され、上記吐出孔の近傍で上記吐出部内に固定されてなる略円盤状の弁体支持部と、
上記吐出部内に固定されてその先端を上記吐出孔から上記吐出部外に露出してなる弾性体製の弁体と、
上記筒体の内部に備えられ、上記スクイズボトルの上記口部栓に当接して、上記吐出部と上記スクイズボトルとの間を封鎖する内栓とを有し、
上記弁体の先端部分が、上記スクイズボトル側から液圧を受けていない状態で上記弁体支持部に当接して上記吐出孔を閉鎖し、かつ上記スクイズボトル上流側から液圧を受けると変形して上記弁体支持部との間に流路を形成し、
上記筒体を上記スクイズボトルにねじ込みもしくは嵌め合わせることによって、または上記筒体と上記スクイズボトルとのねじ嵌めもしくは嵌め合わせを緩めることによって、上記内栓と上記スクイズボトルの上記口部栓との間に流路が形成される、点眼容器。
【発明の詳細な説明】
【技術分野】
【０００１】
本発明は、スクイズボトルに充填された内容液を無菌的に吐出させるための、逆流防止効果を有する吐出部材と、口部に当該吐出部材を設けてなる、内溶液の無菌的な吐出が可能な吐出容器および点眼容器とに関する。
【背景技術】
【０００２】
点眼容器のように内容液を滴下させて使用する容器においては、例えば図１３（ａ），（ｂ）に示すように、容器本体９２の口部９２ａに吐出部材９０が取り付けられる。この吐出部材９０は、容器本体９２を押圧することによって、吐出孔９１から内容液を液滴９４の状態で吐出するものである。
しかしながら、図１３に示す吐出部材９０では、内容液の吐出後に、押圧により変形した容器本体９２を復元すべく吐出口９３から外気を取り入れることから、吐出口９３に残留した内容液（点眼液など）９５が容器本体９２へと逆流するのにあわせて、吐出口９３に付着した細菌などの微生物、埃、塵などが容器本体９２内に侵入するという問題が生じる（図１４（ａ），（ｂ）参照）。特に、容器が点眼容器である場合には、角膜や瞼との接触によって吐出口９３に細菌や埃が付着し易く、かかる問題を生じるおそれが極めて高い。
【０００３】
容器本体内に細菌や埃などが侵入すると内容液の腐敗、劣化などを引き起こすことから、点眼容器に収容される内容液（点眼液）には、防腐剤としての塩化ベンザルコニウム、パラベン類（パラオキシ安息香酸エステル類）などが配合されている。しかしながら、容器に収容される内容液の種類、用途などによっては防腐剤を含む処方が困難であったり、防腐剤を配合させることによって点眼液を使用する者にアレルギーなどの副作用が生じたりするおそれがある。
【０００４】
そこで、近年、防腐剤を使用しないこと、あるいはその使用量を極力少なくすることが検討されており、その一例として、防腐剤を使用せずに、小さな容器に極めて少量の点眼液のみを密封してなる、いわゆる使いきりの点眼容器が提供されている。しかしながら、使いきりの点眼容器にはコスト面の不利があることから、現状では特定の用途に限定されており、汎用されるものではない。
【０００５】
一方、下記特許文献１には、外層（外容器）と、その内面に剥離可能に設けられた内層（内容器）とを備える、いわゆるデラミネートボトルを採用したフィルタ付き吐出容器が記載されている。この吐出容器によれば、内容液の吐出後に吐出口から容器内部へ外気が流入するのを阻止できることから、内容液に細菌、埃などが混入するのを防止できる。しかしながら、内容液の吐出に伴う容器内圧の変化に応じて容易に変形する内容器を設ける必要があることから、製造コストが高くなるという問題がある。
【０００６】
また、下記特許文献２や下記特許文献３には、孔径が、細菌や埃などが通過することのできない大きさに設定された多孔性フィルタを吐出口に配置してなる抗菌性容器が記載されている。しかしながら、薬液などが染み込んだ状態で多孔性フィルタが乾燥すると、薬液中の溶質によってフィルタに目詰まりを生じるおそれがある。特に、容器の内容液が懸濁液である場合には目詰まりの問題がより一層生じ易くなる。さらに、下記特許文献２および下記特許文献３に記載の容器では、多孔質フィルタとして金属焼結体、樹脂焼結体などを用いているが、この場合、焼結体の微粒子が薬液中に混じって容器から吐出されるおそれもある。
【０００７】
そこで、点眼容器などの吐出容器において、吐出孔から内溶液（薬液）が逆流するのを防止して、無菌的な吐出（滴下）を実現することが求められている。
【先行技術文献】
【特許文献】
【０００８】
【特許文献１】特開２００２−８００５５号公報
【特許文献２】特開２００１−１７９０１７号公報
【特許文献３】特開２００１−２０６４５４号公報
【特許文献４】特開２００２−５３６２９号公報
【特許文献５】特開２００２−５３７６２号公報
【発明の概要】
【発明が解決しようとする課題】
【０００９】
本発明の目的は、内容液の逆流を防止して、無菌的な液滴の吐出（滴下）を実現することができ、内容液の腐敗や劣化を防止するための薬剤の配合をなくしまたは抑制することができ、内容液が懸濁液であっても目詰まりを生じることなく、スムーズな吐出を実現することのできる吐出容器および点眼容器を提供することである。
【課題を解決するための手段】
【００１０】
上記目的を達成するための本発明に係る第１の吐出容器は、
口部を有するスクイズボトルと、上記スクイズボトルの上記口部に取り付けられ、上記スクイズボトルの内容液の流路となる孔を有する筒体と、上記筒体の外周面に溶着され、底部に吐出孔を備える有底略筒状または略椀状の吐出部と、上記筒体の下流側に連接され、上記吐出部内に固定されてその先端を上記吐出孔から上記吐出部外に露出してなる略円柱状の弁体支持部と、上記吐出部内に固定されてその先端を上記吐出孔から上記吐出部外に露出してなる弾性体製の弁体とを有し、上記弁体の先端部分が、上記スクイズボトル側から液圧を受けていない状態で上記弁体支持部に当接して上記吐出孔を閉鎖し、かつ上記スクイズボトル側から液圧を受けると変形して上記弁体支持部との間に流路を形成することを特徴とする。
【００１１】
また、上記目的を達成するための本発明に係る第２の吐出容器は、
口部を有するスクイズボトルと、上記スクイズボトルの上記口部に取り付けられ、上記スクイズボトルの内容液の流路となる孔を有する筒体と、上記筒体の外周面に溶着され、底部に吐出孔を備える有底略筒状または略椀状の吐出部と、上記筒体の下流側に連接され、上記吐出孔の近傍で上記吐出部内に固定されてなる略円盤状の弁体支持部と、上記吐出部内に固定されてその先端を上記吐出孔から上記吐出部外に露出してなる弾性体製の弁体とを有し、上記弁体の先端部分が、上記スクイズボトル側から液圧を受けていない状態で上記弁体支持部に当接して上記吐出孔を閉鎖し、かつ上記スクイズボトル上流側から液圧を受けると変形して上記弁体支持部との間に流路を形成することを特徴とする。
【００１２】
本発明に係る第１および第２の吐出容器において、吐出孔の閉鎖と開放とを制御する弁体は、弾性体からなるものである。この弁体は、上流側から液圧を受けていない状態で弁体支持部に当接することにより、吐出孔を閉鎖する。一方、上流側から液圧を受けると変形して、弁体支持部との間に隙間（流路）を形成することにより、吐出孔を開放する。吐出孔が開放されることで、当該吐出孔と、吐出部の上流側（スクイズボトル）とが連通することから、吐出孔からの薬液などの吐出（滴下）を実現することができる。
【００１３】
本発明に係る第１および第２の吐出容器において、吐出孔からの薬液などの吐出を実現するには、スクイズボトルに圧を加えればよい。かかる操作によって、弁体の上流側からスクイズボトルに収容された内容液（薬液など）による液圧がかかり、弁体が変形して吐出孔が開放される。一方、スクイズボトルに圧を加えるのを止めると、通常、変形を受けたスクイズボトルがその形状を復元させるために外気を流入させようとする。しかしながら、スクイズボトルは瓶型の搾り出し容器であって、例えば練り歯磨きを収容するチューブと同様に、ボトル本体からその内容物（内容液）を搾り出すものであることから、ボトルを押圧前の形状に復元しようとして吐出孔に負荷される陰圧が本来的に小さい。しかも、本発明の吐出容器では、その弁体が、上流側から液圧を受けると変形して、弁体支持部との間に隙間（流路）を形成するといった構造を備えることから、ボトルが復元しようとする陰圧は、むしろ変形を受けた弁体の復元動作を加速する作用を示すことになる。従って、弁体の変形に伴って吐出孔に生じた隙間（流路）は、スクイズボトルへの加圧（およびそれに伴う弁体への液圧の負荷）を止めることによって直ちに塞がれることになり、本発明の吐出容器では弁体が逆止弁として作用する。
【００１４】
それゆえ、本発明に係る第１および第２の吐出容器によれば、吐出孔から吐出された液体の逆流と、それに伴う細菌、埃などの侵入を防止することができる。かかる吐出容器は、例えばスクイズボトルを用いた点眼容器に適用するのに好適である。
なお、本発明に係る吐出容器は、外層（外容器）と、その内面に剥離可能に設けられた内層（内容器）とを備える、いわゆるデラミネートボトルとして使用することも可能である。この場合も、吐出孔から吐出された液体の逆流と、それに伴う細菌、埃などの侵入を防止するという作用効果を得ることができる。
【００１５】
また、本発明に係る第１および第２の吐出容器では、前述のように、スクイズボトルに圧を加えることによって、弁体を変形させて吐出孔から内容液を吐出（滴下）させることができる。また、スクイズボトルに圧を加えるのを止めて、弁体への液圧の負荷をなくすと、吐出孔が直ちに塞がれて、弁体が逆止弁として作用することになる。従って、本発明に係る第１および第２の吐出容器によれば、一旦吐出された内容液がスクイズボトルに逆流したり、それに伴って細菌などの微生物、埃、塵などがスクイズボトル内へ侵入したりするのを高度に防止することができる。また、その結果、内容液の腐敗または劣化を防止するための薬剤（例えば防腐剤）の配合をなくしたり、あるいはその配合を極力少なくしたりすることができる。さらに、本発明の吐出容器は、吐出部に多孔性フィルタを用いるものではないことから、吐出孔での目詰まりを生じることがない。それゆえ、たとえ内容液が懸濁液であってもスムーズな吐出を実現することができる。
【００１６】
本発明に係る第１および第２の吐出容器は、いずれも、
（Ｉ）スクイズボトルがその口部を密封する薄膜を備え、かつ、上記筒体が、その内部にあって尖端をスクイズボトル側に向けてなる中空の穿刺針を備えており、筒体をスクイズボトルにねじ込みまたは嵌め合わせることによって、上記薄膜に上記穿刺針が刺通されるものであってもよく、あるいは、
（ＩＩ）スクイズボトルがその口部に口部栓を備え、筒体が、その内部に、上記スクイズボトルの内壁と当接して、吐出部とスクイズボトルとの間を封鎖する内栓を備えており、筒体をスクイズボトルにねじ込みもしくは嵌め合わせることによって、または筒体とスクイズボトルとのねじ嵌めもしくは嵌め合わせを緩めることによって、内栓とスクイズボトルの口部栓との間に流路が形成されるものであってもよい。
【００１７】
スクイズボトルが上記（Ｉ）の薄膜を備える場合には、吐出容器を使用する前においてスクイズボトルの内容液を気密的に保存することができることから、無菌状態を保証することができる。一方、筒体が上記（ＩＩ）の内栓を備える場合には、吐出容器を使用する前において内容液の無菌状態を保証することができるほか、吐出容器の使用を中断する場合にも、内栓とスクイズボトルの口部栓との間の流路を閉鎖することによって、再び内容液を気密的に保存することができる。
【００１８】
本発明に係る第１および第２の吐出容器は、いずれも、点眼液を収容する点眼容器として好適である。
【図面の簡単な説明】
【００１９】
【図１】図１は、本発明に係る第１の吐出部材の一実施形態を示す断面図である。
【図２】図２は、本発明に係る吐出容器の一実施形態を示す断面図である。
【図３Ａ】図３Ａは、図２に示す吐出容器の使用状態を示す断面図である。
【図３Ｂ】図３Ｂは、図２に示す吐出容器の使用状態を示す断面図である。
【図３Ｃ】図３Ｃは、図２に示す吐出容器の使用状態を示す断面図である。
【図４】図４は、本発明に係る吐出容器の他の実施形態を示す断面図である。
【図５Ａ】図５Ａは、図４に示す吐出容器の使用状態を示す断面図である。
【図５Ｂ】図５Ｂは、図４に示す吐出容器の使用状態を示す断面図である。
【図５Ｃ】図５Ｃは、図４に示す吐出容器の使用状態を示す断面図である。
【図６】図６は、本発明に係る吐出容器のさらに他の実施形態を示す断面図である。
【図７】図７は、図６に示す吐出容器の使用状態を示す断面図である。
【図８】図８は、本発明に係る吐出容器のさらに他の実施形態を示す断面図である。
【図９】図９は、図８に示す吐出容器の使用状態を示す断面図である。
【図１０】図１０は、本発明に係る第１の吐出部材の他の実施形態を示す断面図である。
【図１１】図１１は、本発明に係る第２の吐出部材の一実施形態を示す断面図である。
【図１２】図１２は、本発明に係る第２の吐出部材の他の実施形態を示す断面図である。
【図１３】図１３は、（ａ）は従来の点眼容器の一例を示す正面図であって、（ｂ）はその吐出部材の拡大断面図である。
【図１４】図１４は、従来の点眼容器における問題点を示す説明図である。
【発明を実施するための形態】
【００２０】
以下、本発明に係る吐出部材およびそれを備える吐出容器および点眼容器についての実施の形態を、添付図面を参照して詳細に説明する。
図１に示す吐出部材１０は、本発明に係る第１の吐出部材の一実施形態であって、有底略筒状である吐出部１１と、吐出部１１内に固定されてその先端１３ａを吐出孔１２から吐出部１１外に露出してなる、略円柱状の弁体支持部１３と、吐出部１１の吐出孔１２近傍における内壁面に固定されて、その先端１４ａを吐出孔１２から吐出部１１外に露出してなる弁体１４と、を備えている。
【００２１】
弁体支持部１３は筒体１５に連接しており、その筒体１５を吐出部１１の内壁面に溶着することによって、弁体支持部の先端１３ａが吐出孔１２で吐出部１１外に露出した状態となるように固定されている。筒体１５には孔１５ａが設けられており、この孔１５ａが筒体１５内から吐出孔１２側への内容液の流路となっている。また、筒体１５は、その開口端１５ｂの内周面に設けられたねじ部１５ｃを用いて、スクイズボトル３１の口部３１ａに設けられたねじ部３１ｂと螺合している。
【００２２】
弁体１４は、上流側Ｕから液圧を受けると吐出部１１の外側（弁体１４の先端１４ａにおける外周面側）に撓むようにして変形し、弁体支持部１３との間に流路を形成する。この弁体１４の形成材料として熱可塑性エラストマーを使用し、吐出部１１の形成材料として熱可塑性樹脂を使用することによって、両者を一体成形することができる。熱可塑性エラストマー製の弁体は一般に粘着力が大きく、ブロッキングし易いことから、弁体と吐出部とを別々に成形するには困難を伴うところ、弁体１４と吐出部１１とを一体成形することによって、その製造を容易なものとすることができ、生産生を向上させることができる。弁体と吐出部とを一体成形する方法としては、例えば多色成形やインサート成形が挙げられる。
【００２３】
筒体１５は、その内部に中空の穿刺針（中空針）１８を備えており、中空針１８の尖端はスクイズボトル側（上流側Ｕ）に向けられている。
図２に示す吐出容器３０は、本発明に係る吐出容器の一実施形態であって、スクイズボトル３１の口部３１ａに図１に示す吐出部材１０を備えるものである。
吐出容器３０の未使用時において、スクイズボトルの口部３１ａの外周面に設けられたねじ部３１ｂは、筒体１５のねじ部１５ｃと浅く螺合しており、それゆえ、筒体１５内部の中空針１８は、スクイズボトルの口部３１ａに取り付けられた内栓１７の薄膜１６を突き破らない状態で保持されている（図２）。一方、吐出容器３０を使用する際には、スクイズボトルのねじ部３１ｂと、筒体のねじ部１５ｃとをさらに深く螺合させることによって、内栓の薄膜１６が中空針１８によって突き破られる（図３Ａ）。その結果、スクイズボトル３１の内部と、吐出部材１０の内部とが連通することになる。
【００２４】
吐出容器３０からの内容液の吐出（滴下）は、スクイズボトル３１を押圧することによって達成される（図３Ｂ）。すなわち、スクイズボトル３１を押圧すると、スクイズボトルに収容された内容液（図示せず）は、中空針１８や弁体支持部１３の孔１３ａを通過し、下流側Ｄの吐出孔１２へと達して、弁体１４の先端１４ａ部分に液圧を負荷する。弁体１４は、通常、弁体支持部１３に当接して吐出孔１２を閉鎖しているものの、上流側Ｕから液圧がかかると変形して、弁体支持部１３との間に流路を形成する。従って、かかる流路から内溶液が通過することによって、吐出孔１２にて液滴ｄが吐出される。一方、上流側Ｕからの液圧の負荷を止めると、弁体１４は速やかに元の形状に戻り、すなわち弁体支持部１３に当接することから、吐出孔１２に形成された流路が閉鎖される。
【００２５】
瓶型の搾り出し容器であるスクイズボトル３１は、それ自体が可撓性を有するものであり、その底部に蛇腹部３２を有することから、ボトルを押圧してその内容液を吐出した後において、ボトルの形状を押圧前の状態に復元しようとする作用が小さい。しかも、弁体１４は、上流側Ｕからの液圧の負荷を止めると速やかに弁体支持部１３に当接して流路を閉鎖することから、吐出孔１２からの内容液の逆流が確実に防止され、空気の流入も生じない。従って、吐出操作を終えた後のボトル３１は、本来ならば押圧前のボトル３１’の形状に復元しようとするところ、その蛇腹部３２を縮めた状態で保たれる（図３Ｂ，図３Ｃ）。
【００２６】
図４に示す吐出容器３５は、本発明に係る吐出容器の他の実施形態であって、スクイズボトル３６の口部３６ａに図１に示す吐出部材１０を備えるものである。
吐出容器３５の未使用時には、スクイズボトルの口部３６ａの外周面に設けられたねじ部３６ｂと、筒体１５のねじ部１５ｃとが浅く螺合しており、図２に示す場合と同様に、筒体１５内部の中空針１８が、内栓１７の薄膜１６を突き破らない状態で保持されている（図４）。一方、吐出容器３５の使用時には、図３Ａ〜図３Ｃに示す場合と同様に、スクイズボトルのねじ部３６ｂと筒体のねじ部１５ｃとが深く螺合して、薄膜１６が中空針１８によって突き破られる（図５Ａ）。
【００２７】
吐出容器３５からの内容液の吐出（滴下）は、スクイズボトル３６を押圧することによって達成される。スクイズボトル３６の押圧に伴って弁体１４に液圧が負荷されること、弁体１４の変形に伴って流路が形成され、吐出孔１２からの液滴ｄが吐出されること（図５Ｂ）、スクイズボトル３６の押圧を止めると弁体１４が速やかに弁体支持部１３に当接して流路を閉鎖すること、その結果、吐出孔１２からスクイズボトル３６内への空気の流入が生じないこと、およびボトル３６’の復元力が小さく、しかも吐出孔１２からの空気の流入が生じない結果、スクイズボトル３６の押圧を止めても蛇腹部３７を縮めた状態が保たれること（図５Ｃ）については、図２、図３Ａ〜Ｃに示す吐出容器３０の場合と同様である。
【００２８】
図６および図８に示す吐出部材６０，６５は、いずれも吐出部材１０の内部に、中空針１８に代えて内栓６１，６３を備えており、筒体１５のねじ部１５ｃとスクイズボトル３１のねじ部３１ｂとの螺合状態を調節することによって、スクイズボトル１５の口部栓６２，６４を開閉するものである。
図６に示す吐出部材６０では、スクイズボトルのねじ部３１ｂと筒体のねじ部１５ｃとを浅く螺合した状態で、口部栓６２が内栓６１によって閉鎖されており、スクイズボトルのねじ部３１ｂと筒体のねじ部１５ｃとを締めて、その螺合状態を深くすることによって、口部栓６２を開放することができる（図７）。
【００２９】
一方、図８に示す吐出部材６５では、スクイズボトルのねじ部３１ｂと筒体のねじ部１５ｃとを深く螺合した状態で、口部栓６４が内栓６３によって閉鎖されており、スクイズボトルのねじ部３１ｂと筒体のねじ部１５ｃとを緩めて、その螺合状態を浅くすることによって、口部栓６４を開放することができる（図９）。
図１０に示す吐出部材２０は、本発明に係る第１の吐出部材の他の実施形態であって、有底略筒状である吐出部２１と、吐出部２１内に固定されてその先端１３ａを吐出孔２２から吐出部２１外に露出してなる、略円柱状の弁体支持部１３と、吐出部２１の吐出孔２２近傍における内壁面に固定されて、その先端２４ａを吐出孔２２から吐出部２１外に露出してなる弁体２４と、を備えている。
【００３０】
図１０に示す吐出部材２０において、弁体２４は、吐出部２１と一体成形されるものではなく、単独で成形した後、吐出孔２２の近傍にて吐出部の先端２１ａで挟持させることによって固定されるものである。なお、弁体は、スクイズボトルの押圧に伴う液圧によって十分に変形することが求められることから、その硬度が低く、柔軟性の高い材料が用いられる。このような材料を概ね粘着性が高いものであることから、弁体を吐出部の所定の位置に配置する際には、弁体がブロッキングを生じないように注意する必要がある。
【００３１】
なお、図１０に示す吐出部材２０は、弁体２４と吐出部２１との接合部の形態が異なるほかは、図１に示す吐出部材１０と同様である。
図１１に示す吐出部材４０は、本発明に係る第２の吐出部材の一実施形態であって、有底略筒状である吐出部４１と、吐出孔４２の近傍で吐出部４１内に固定されてなる略円盤状の弁体支持部４３と、吐出部４１内に固定されてその先端を吐出孔４２から吐出部４１外に露出してなる弁体４４と、を備えている。
【００３２】
弁体支持部４３は筒体４５に連接しており、その筒体４５を吐出部４１の内壁面に溶着することによって、孔４３ａを有する弁体支持部４３の先端部分が吐出孔４２の近傍に配置され、固定されている。筒体の孔４５ａは、筒体４５内から吐出孔４２側への内容液の流路となっている。筒体４５は、その開口端４５ｂの内周面に設けられたねじ部４５ｃを用いて、スクイズボトル３１の口部３１ａに設けられたねじ部３１ｂと螺合している。
【００３３】
弁体４４は、上流側Ｕから液圧を受けると吐出部４１の外側に撓むようにして変形し、弁体支持部４３との間に流路を形成する。この弁体４４の形成材料として熱可塑性エラストマーを使用し、吐出部４１の形成材料として熱可塑性樹脂を使用することによって、両者を一体成形することができる。弁体と吐出部とを一体成形する方法としては、前述の場合と同様である。
【００３４】
なお、図１１に示す吐出部材４０は、弁体４４と吐出部４１の形態が異なるほかは、図１に示す吐出部材１０と同様である。
図１２に示す吐出部材５０は、本発明に係る第２の吐出部材の他の実施形態であって、有底略筒状である吐出部５１と、吐出孔５２の近傍で吐出部５１内に固定されてなる略円盤状の弁体支持部４３と、吐出部５１内に固定されてその先端を吐出孔５２から吐出部５１外に露出してなる弁体５４と、を備えている。
【００３５】
図１２に示す吐出部材５０において、弁体５４は、吐出部５１と一体成形されるものではなく、単独で成形した後、吐出孔５２の近傍にて吐出部の先端５１ａで挟持させることによって固定されるものである。図１２に示す吐出部材５０は、弁体５４と吐出部５１との接合部の形態が異なるほかは、図１１に示す吐出部材４０と同様である。
図１０〜図１２に示す吐出部材２０，４０，５０についても、図１に示す吐出部材１０と同様に、スクイズボトル３１，３６の口部に取り付けることによって使用することができる。
【００３６】
本発明の吐出部材における弁体は、上流側（スクイズボトル側）からの液圧によって容易に変形するもの（具体的には、伸張変形と、それに伴う撓みを生じるもの）であることが必要となる。弁体を形成するのに用いられる弾性体には、例えば熱可塑性エラストマー、天然ゴム、シリコーンゴム、イソプレンゴム、ブチルゴム、ブタジエンゴム、フッ素ゴムなどのゴム；ゲル状物質などが挙げられる。
【００３７】
弁体を形成する弾性体の具体例は次のとおりである。熱可塑性エラストマーとしては、例えばスチレン−エチレン／ブチレン−スチレンブロック共重合体（ＳＥＢＳ）、スチレン−ブタジエン−スチレンブロック共重合体（ＳＢＳ）、スチレン−イソプレン−スチレンブロック共重合体（ＳＩＳ）、マレイン酸変性などの変性ＳＥＢＳ、スチレン−エチレン／プロピレン−スチレンブロック共重合体（ＳＥＰＳ）、スチレン−エチレン／ブチレンブロック共重合体（ＳＥＢ）、スチレン−エチレン／プロピレンブロック共重合体（ＳＥＰ）などのスチレン系エラストマー；エチレン−プロピレンブロック共重合体などのオレフィン系エラストマー；ポリウレタン系エラストマー；およびこれらの混合物が挙げられる。スチレン系の熱可塑性エラストマーの中では、例えばクラレプラスチックス（株）（Ｋｕｒａｒａｙ Ｐｌａｓｔｉｃｓ Ｃｏ．，Ｌｔｄ．）製の「セプトン（Ｓｅｐｔｏｎ）（登録商標）コンパウンド」などが好適である。ゲル状物質としては、例えば直鎖の炭化水素系高分子（オレフィン系エラストマー）からなるグル〔（株）コスモ計器（Ｃｏｓｍｏ Ｉｎｓｔｒｕｍｅｎｔ Ｃｏ．，Ｌｔｄ．）製の商品名「コスモゲル」など〕；シリコーン−ウレタン系ゲル〔ケミテック（株）（Ｃｈｅｍｉｔｅｃｈ Ｃｏ．，Ｌｔｄ．）製の商品名「ケミテックゲル」など〕が挙げられる。弁体を形成する弾性体は、発泡体（但し、弾性体中の孔が不連続であるもの）であってもよく、添加物によってその硬度を後述する範囲に設定したものであってもよい。
【００３８】
上記例示の弾性体について、より具体的な性状は特に限定されるものではないが、弁体の変形性能を良好なものとする上で、弾性体の硬さは、ＪＩＳ Ａ硬度（ＪＩＳ Ｋ ６３０１−５．２「スプリング式硬さ試験」に記載の方法で測定したスプリング硬さＨｓ（Ａ型））で０〜４０の範囲にあることが好ましい。弾性体の硬さ（ＪＩＳ Ａ）は、上記範囲の中でも特に３０以下であるのが好ましく、より好ましくは２０以下、さらに好ましくは１０以下である。また、材料の入手可能性や弁体の強度などの観点から、２以上であってもよい。
【００３９】
弁体の液圧による変形の程度を示す指標としては、上記の硬さのほかに、例えば弾性体の圧縮弾性率などが挙げられる。弁体を形成する弾性体は、液圧の負荷、除圧を繰り返し行っても破損することがないように、その圧縮永久歪み率ＣＳ（ＪＩＳ Ｋ ７３０１、測定条件：７０℃×２２時間）が５０以下であるのが好ましい。
吐出部材が点眼容器の吐出部である場合において、一般的な点眼動作での点眼液の滴下速度が０．０５ｍＬ／秒程度であることを考慮すれば、弁体を変形させるのに要する圧は０．０１〜０．２ＭＰａ程度であるのが好ましい。
【００４０】
図１および図１１に示す吐出部材１０，４０のように、弁体１４，４４を吐出部１１，４１の吐出孔近傍に一体成形によって固定させる場合には、上記例示の弾性体材料の中から熱可塑性を有する材料を選択すればよい。一方、図１０および図１２に示す吐出部材２０，５０のように、吐出孔２２，５２の近傍にて弁体２４，５４を吐出部の先端２１ａ，５１ａで挟持させ、固定する場合には、弁体形成用の弾性体材料を熱可塑性材料に限定する必要はない。
【００４１】
本発明に係る吐出部材は、吐出孔または弁体よりも上流側に通液フィルタを有していてもよい。通液フィルタは、一定以上の液圧を付加することによって液体の透過が許容されるフィルタであることから、かかるフィルタを設けることによって、万一、吐出部の吐出孔近傍に残留する内容液中に細菌、埃などが侵入（逆流）するという事態が生じたとしても、当該内容液がスクイズボトルの内部にまで侵入することは防止できる。すなわち、通液フィルタは、吐出部材に接続しているスクイズボトル内に汚染物質が侵入するのを防止するという観点から好適である。
【００４２】
通液フィルタの孔径が０．１〜０．４５μｍ程度（すなわち、小孔径のもの）である場合には、懸濁液を収容するスクイズボトルに本発明の吐出部材を適用するのが困難になるものの、細菌、埃などがスクイズボトルに侵入する事態をより一層確実に防止することができる。一方、通液フィルタの孔径が１０〜２０μｍ程度（すなわち、比較的大孔径のもの）である場合には、懸濁液を収容するスクイズボトルにも本発明の吐出部材を適用することができる。この場合において、懸濁液による通液フィルタの目詰まりを考慮する必要はなく、むしろ懸濁液の成分が吐出孔の近傍で沈殿するのを抑制するという新たな効果を得ることができる。また、かかる孔径の比較的大きな通液フィルタであっても、細菌、埃などの侵入を抑止することについて一定の効果を得ることができる。
【００４３】
本発明に使用可能な通液フィルタとしては、これに限定されるものではないが、例えばジャパンゴアテックス（株）（Ｊａｐａｎ Ｇｏｒｅ−ｔｅｘ Ｉｎｃ．）の親水性ポリテトラフルオロエチレン（ＰＴＦＥ）膜、日本ミリポア（Ｍｉｌｌｉｐｏｒｅ）社の親水性デュラポア（Ｄｕｒａｐｏｒｅ）（登録商標，ポリビニリデンフルオライド（ＰＶＤＦ）製）、同社の親水性ポリエーテルスルホン（ＰＥＳ）膜などが挙げられる。
【００４４】
本発明に係る吐出部材および吐出容器においては、後述する吐出孔などへの抗菌処理と併せて、またはこれに代えて、吐出部の外表面に被せるキャップに抗菌処理を施してもよい。抗菌処理の対象となるキャップの部位は、これに限定されるものではないが、その内表面のうち吐出孔と接する部位、またはキャップの内部に配置される吸収材などが挙げられる。
【００４５】
本発明の吐出部材は、吐出孔側から上流側への逆流を生じないものであることから、吐出操作を終えた後の残留液は、吐出部内に流入せずに、吐出孔の周りに残存することになる。そこで、例えば内部に吸収材３３ａを備えるキャップ３３を使用して、吐出操作を終えた後に吐出孔１２近傍に滞留する内容液（残留液）を吸収材３３ａで吸い取らせることによって、再度の滴下操作の際に当該残留液が吐出されないようにすることができる（図２、図４、図６および図８参照）。
【００４６】
また、吸収材は、吐出孔と直接に接触させずに、キャップの内表面で押しのけられた吐出孔の残留液がキャップ内表面の周囲に設けられた吸収材に吸収されるように設計してもよい。
吸収材の具体例としては、例えばウレタンや発泡ポリエチレンなどからなるスポンジ；不織布、脱脂綿、ガーゼなどからなる布地；紙；ヒドロゲルなどが挙げられる。スポンジの形成には、例えばウレタンや発泡ポリエチレンなどの、従来公知の種々の材料を用いればよい。スポンジに抗菌処理を施すには、例えばスポンジ作製後に抗菌剤などの薬剤を塗布などの手段によってスポンジの表面に付着させたり、ウレタンやポリエチレンに抗菌剤などの薬剤をあらかじめ練り込んだりしておくのが好ましい。また、吸収材の素材自体にあらかじめ抗菌活性を有しているものを用いてもよい。
【００４７】
上記布、紙、ヒドロゲルなどに対する抗菌処理としては、例えばこれらにシランカップリングやセレニウムコーティングなどの処理を施す方法が挙げられる。ヒドロゲルの具体例としては、例えば（メタ）アクリルアミド系などの高分子と水膨潤性粘土鉱物とを組み合わせてなるもの（上記特許文献４および５参照）が挙げられる。
本発明の吐出部材および吐出容器において、吐出部、キャップおよびスクイズボトルを形成する樹脂としては、例えばポリエチレン（ＰＥ）、ポリプロピレン（ＰＰ）などが挙げられる。特にＰＥやＰＰは医薬的に安全な素材であることから、本発明の吐出容器が点眼容器のような薬液を収容するものである場合に特に好適である。
【００４８】
吐出部、キャップおよびスクイズボトルを形成する樹脂には、吐出操作後において吐出孔の近傍などに残存する液や、スクイズボトル内に収容される内容液についての腐敗などを防止する効果をより一層高めるという観点から、あらかじめ防腐剤などを練り込んでおいてもよい。防腐剤の具体例としては、第４級アンモニウム塩（例えば、イヌイ（株）（Ｉｎｕｉ Ｃｏｒｐ．）製の商品名「ダイマー３８（Ｄｉｍｅｒ３８）」、同社製の「ダイマー１３６（Ｄｉｍｅｒ１３６）」）などが挙げられる。
【００４９】
また、吐出部、キャップおよびスクイズボトルの形成後に、その内表面などに防腐剤を塗布などの手段によって付着させたり、吐出部材、キャップおよびスクイズボトルの形成時にシランカップリングなどによる表面処理を施しておいたりしてもよい。吐出部などを形成する樹脂の素材自体に抗菌活性を有するものを用いてもよい。
本発明に係る吐出部材の弁体、吐出部（特に吐出孔）および弁体支持部は、これに限定されるものではないが、抗菌処理が施されたものであるのが好ましい。抗菌処理が施されていることにより、内容液の吐出処理後において吐出孔の近傍に滞留する内容液（残留液）に対して、細菌の繁殖などを防止する作用を発揮させることができる。
【００５０】
抗菌処理の対象は吐出部材の構成に応じて適宜選定すればよいが、前述の部位のほかにも、吐出部（または吐出孔）を覆うキャップの表面（吐出部と接触する内表面など）や、当該キャップの内部に配置される吸水材（スポンジ、布、紙、ヒドロゲルなど）などについても、抗菌処理の対象とすることができる。
抗菌処理は、弁体などを形成する熱可塑性エラストマーなどの弾性材料、吐出部や吐出孔を形成する樹脂材料、上記吸収材の形成材料などにあらかじめ防腐剤、抗菌剤などの薬剤を配合したり、あらかじめ成形された弁体や吐出部などの表面に上記薬剤を塗付などの手段によって付着させたり、弁体、吐出部、キャップなどの形成材料にシランカップリングやセレニウムコーティングなどの表面処理を施したりすることによって達成される。（メタ）アクリルアミド系などの高分子と水膨潤性粘土鉱物とを組み合わせてなるヒドロゲルには、その表面にセレニウムをコーティングすることで抗菌処理を施すことができる。
【００５１】
なお、上記発明は、本発明の例示の実施形態として提供したが、これは単なる例示にすぎず、限定的に解釈してはならない。当該技術分野の当業者によって明らかな本発明の変形例は、特許請求の範囲に含まれるものである。
【産業上の利用可能性】
【００５２】
以上のように、本発明の吐出部材、吐出容器および点眼容器は、内容液の逆流を防止しつつ、無菌的な液滴の吐出（滴下）を実現でき、内容液の腐敗や劣化を防止するための薬剤の配合をなくしまたは抑制でき、さらには、内容液が懸濁液であっても目詰まりを生じることなく、スムーズな吐出を実現できるものとして、例えば、点眼液を収容する点眼容器などの医療用容器の分野において、実用上有利に使用できる。
【符号の説明】
【００５３】
１１    吐出部
１２    吐出孔
１３    弁体支持部
１３ａ  （弁体支持部の）先端
１４    弁体
１４ａ  （弁体の）先端
１５    筒体
１５ａ  （筒体の）孔
１６    薄膜
１８    中空針
２１    吐出部
２２    吐出孔
２４    弁体
３１    スクイズボトル
３１ａ  （スクイズボトルの）口部
３６    スクイズボトル
４１    吐出部
４２    吐出孔
４３    弁体支持部
４４    弁体
４５    筒体
４５ａ  （筒体の）孔
５１    吐出部
５２    吐出孔
６１    内栓
６２    口部栓
６３    内栓
６４    口部栓
【図１】
0004615445.tif 000002
【図２】
0004615445.tif 000003
0004615445.tif 000004
0004615445.tif 000005
0004615445.tif 000006
【図４】
0004615445.tif 000007
0004615445.tif 000008
0004615445.tif 000009
0004615445.tif 000010
【図６】
0004615445.tif 000011
【図７】
0004615445.tif 000012
【図８】
0004615445.tif 000013
【図９】
0004615445.tif 000014
【図１０】
0004615445.tif 000015
【図１１】
0004615445.tif 000016
【図１２】
0004615445.tif 000017
【図１３】
0004615445.tif 000018
【図１４】
0004615445.tif 000019